(57)【特許請求の範囲】
【請求項１】
ビル状の建築物の屋上に設置されるものであって、
開口部を有し人体を収容できる大きさの避難箱体と、
平常時は前記避難箱体の上面を覆い、かつ非常時は前記避難箱体から分離可能に載置される花壇と、
前記花壇と前記屋上と前記避難箱体に散水するための、散水ホースと散水ノズルを備えた散水器と、
一端部が前記屋上に固設された固定部材に連結され、かつ他端部が前記避難箱体に連結され、前記避難箱体を前記建築物の屋上から空中に吊り下げて昇降させる吊下げロープと、
平常時は前記避難箱体内に収納され、非常時は前記避難箱体から外部に取り出されて、一端部が前記避難箱体に連結された状態で他端部が地上近傍まで下ろされ前記避難箱体を前記屋上から地上近傍まで手繰り寄せるための手繰り寄せロープとを備え、
前記手繰り寄せロープは、前記ビル状の建築物のベランダの前を通って、地上近傍まで下ろされる吊下げ梯子であることを特徴とする避難装置。
【発明の詳細な説明】
【技術分野】
【０００１】
本発明は、ビル等の高層建築物において火災等の非常事態が発生した際に屋上から安全に脱出避難するための避難装置に関する。
【背景技術】
【０００２】
従来から、この種の避難装置或いは避難設備としては、所定の階に蛇腹状に折り畳んで吊下げる等して設け、避難時において適宜伸長させて使用する避難梯子がある（特許文献１参照）。また、ロープ式緩降機や救助袋等も知られている（特許文献２参照）。ロープ式緩降機は、使用者が自重により自動的に降下することができるものである。救助袋は、建築物の窓又はバルコニー等と地上の間を布製シュートで連結し、使用者がこのシュートの中を滑り降りることによって地上へ避難するもので、斜降式と垂直式とがある。さらに、縄梯子と救助袋を組み合わせたような避難装置も提案されている。
【０００３】
さらに本願発明者の発明に係る避難装置も知られている（特許文献３参照）。この避難装置は、ばね状の金属に縁取られた半円形様のファンを、閉じた状態で建物に設置し、火災など緊急時にスイッチを入れモーターを作動させ、ファンの留め具をはずし、ばねの力でファンを全開させ、外壁に取り付けた磁石に密着させることで、避難者が高所恐怖を感じることが少なくファンの上に立ち、梯子をつたって順々にファンからファンへと降りて、高層ビルディングから迅速に脱出できるようにしたものである。
【先行技術文献】
【特許文献】
【０００４】
【特許文献１】特開平６−１６５８３６号公報
【特許文献２】特開平１１−１３１９５９号公報
【特許文献３】実用新案登録第３１４５１２９号公報
【発明の概要】
【発明が解決しようとする課題】
【０００５】
上記従来の、蛇腹状に折り畳んで設置された梯子を拡開伸長させて使用するものは、不安定であって、避難者に恐怖心を与え、緊急時等にあわてている場合等にあやまって足を踏み外したり手を滑らせるおそれもあり、かえって危険であるという問題点があった。
【０００６】
また、ロープ式緩降機は、その降下準備に手数と時間を要して迅速性に劣るばかりか、ロープで降下するために恐怖心を伴う等の問題点があった。また、本願発明者の発明に係る上記避難装置は、高層建築物の各階に設置するものであって、屋上に取り付けるものではなく、屋上からの避難に対応できないものであった。
【０００７】
本発明は、上記従来の課題を解消するためになされたもので、ビル等の高層建築物において、火災等が発生した非常時に、屋上からスムーズに脱出避難することができ、動作の信頼性も高い避難装置を提供することを目的とする。
【課題を解決するための手段】
【０００８】
以下の構成はそれぞれ上記の課題を解決するための手段である。
〈構成１〉
高層建築物の屋上に設置されるものであって、上面開口可能でかつ人体を収容できる大きさに形成された避難箱体と、前記避難箱体の上面に、同上面を覆い、かつ前記避難箱体から分離可能に載置される花壇と、前記屋上に設置された散水栓ボックスに散水ホースが連結されて前記花壇に散水できる散水器と、一端部が前記屋上に固設された固定部材に連結され、かつ他端部が前記避難箱体に連結され、前記避難箱体を空中に吊り下げて昇降できる機械的強度を有する吊下げロープとを備え、平常時は前記避難箱体の上面に前記花壇が載置されており、非常時は前記避難箱体が前記花壇から分離されて移動されることを特徴とする避難装置。
【０００９】
〈構成２〉
構成１に記載の避難装置において、前記避難箱体は、軽量かつ難燃性材料により形成されたものであることを特徴とする避難装置。
【００１０】
〈構成３〉
構成１又は２に記載の避難装置において、平常時は前記避難箱体内に収納され、非常時は前記避難箱体から外部に取り出されて一端部が前記避難箱体に連結された状態で他端部が地上近傍まで下ろされ前記避難箱体を前記屋上から地上近傍まで手繰り寄せるための手繰り寄せロープを設けたことを特徴とする避難装置。
【００１１】
〈構成４〉
構成３に記載の避難装置において、前記吊下げロープは、伸縮性を有しており、前記屋上から吊下げている前記避難箱体を前記手繰り寄せロープで地上に向かって牽引しているときにその牽引力により伸長するものであることを特徴とする避難装置。
【００１２】
〈構成５〉
構成１乃至４のいずれかに記載の避難装置において、前記避難箱体の底部に、同避難箱体を移動させるための車輪を設けたことを特徴とする避難装置。
【００１３】
〈構成６〉
高層建築物の屋上に設置されるものであって、前記屋上に固定された避難箱体と、前記避難箱体の上面に、同上面を覆うように載置される花壇と、前記屋上に設置された散水栓ボックスに散水ホースが連結されて前記花壇に散水できる散水器と、平常時は前記避難箱体内に収納され、非常時は一端部が前記避難箱体または前記固定部材に連結された状態で他端部が前記避難箱体から外部に取り出され地上近傍まで下ろされる吊下げ梯子とを備えたことを特徴とする避難装置。
【発明の効果】
【００１４】
〈構成１の効果〉
避難箱体は、各階の廊下等に保管するには嵩が高いので邪魔になるが、常時屋上に置かれ、その直上に花壇を配置することにより、花壇の台として機能するので美観がよく邪魔にならず、日照や風雨に晒されることから防止される。避難箱体を最適に保管できる。ビル等の高層建築物において火災発生等の非常時に、避難者が避難箱体に入って屋上から避難することにより、避難者の恐怖心が緩和され、屋上からスムーズに脱出避難することができ、動作の信頼性も高い。
花壇の植木や土は、散水器から供給される多量の水分を含んでいるので避難箱体に対して太陽熱も遮断し、火災の温度を下げたり消火用にも利用できる。また、散水器を利用して屋上に散水をすれば、非常時に屋上で救助活動をする人を保護できる。さらに屋上から避難箱体に散水をすると、避難をする人も保護できる。散水は、全てを人力で操作してもよいが、消火用のスプリンクラーのように自動化もできる。
〈構成２の効果〉
避難箱体を軽量かつ難燃性材料により形成すれば、避難箱体の取扱いが容易であり非常時に迅速かつスムーズに移動できる。
〈構成３の効果〉
手繰り寄せロープにより、吊下げロープの牽引力を適宜操作しながら避難箱体を屋上から地上に向かって下降させることができる。
〈構成４の効果〉
吊下げロープが伸縮性を有していることにより、地上で手繰り寄せロープの牽引するだけで避難箱体を徐々に屋上から地上に向かって下降させることができる。
〈構成５の効果〉
屋上における避難箱体の移動を、迅速かつスムーズにできる。
〈構成６の効果〉
吊下げ梯子は、平常時は避難箱体に収納されているので、日照や風雨に晒されることから防止されて劣化したり、また邪魔にならず紛失することがない。吊下げ梯子をベランダの前に垂らすと、誰でも、吊下げ梯子を伝わって下の階に下りることができる。
【図面の簡単な説明】
【００１５】
【図１】実施例１の避難装置１０の概要を示す斜視図である。
【図２】同避難装置において使用する避難箱体を示す斜視図である。
【図３】同避難箱体に手繰り寄せロープを取り付けた状況を示す斜視図である。
【図４】同避難装置において使用する花壇を示す斜視図である。
【図５】同避難装置の、非常時の状況を示す斜視図である。
【発明を実施するための形態】
【００１６】
以下、本発明の実施の形態を詳細に説明する。
【実施例１】
【００１７】
図１は実施例１の避難装置１０の概要を示す斜視図である。
避難装置１０は、図１に示すように、ビル等の高層建築物１２の屋上１４に設置されるものであって、人体を収容できる大きさに形成された避難箱体１６と、避難箱体１６の上面に載置される花壇１８と、屋上１４に設置されて花壇１８に散水できる散水器２６と、避難箱体１６を空中に吊り下げて昇降できる機械的強度を有する吊下げロープ３０と、避難箱体１６を屋上１４から地上近傍まで手繰り寄せるための手繰り寄せロープ３２とを備えている。
【００１８】
避難装置１０は、平常時は避難箱体１６の上面に花壇１８が載置されており、非常時は避難箱体１６が花壇１８から分離されて移動されるものである。
【００１９】
図２は避難箱体１６を示す斜視図である。
避難箱体１６は、図２に示すように、例えば、ＦＲＰ（ガラス繊維強化プラスチック）等のプラスチックやアルミニウム合金等の軽金属のような、軽量かつ難燃性、好ましくは断熱性を有する材料により、１〜３人程度の人体（避難者）を収容できる大きさの立方体あるいは直方体に形成されている。
【００２０】
避難箱体１６は、上面に両面開きの蓋１６Ａが設けられ蓋１６Ａを開けることにより上面が開口可能とされている。避難箱体１６の蓋１６Ａはやや縦長で、中央に１０ｃｍ程度の隙間が開くようにされている。蓋１６Ａを両面開きとしたのは、緊急時に開け易くしたためである。
【００２１】
また、一側面に開口１６Ｂが設けられている。この開口１６Ｂは、避難箱体１６の上面に花壇１８が載せられているときでも手繰り寄せロープ３２を避難箱体１６内に出し入れできるように設けられている。
【００２２】
避難箱体１６には吊下げロープ３０が連結されている。吊下げロープ３０は、一端部が屋上１４に固設された固定部材２８に連結され、かつ他端部が避難箱体１６に連結されている。符号３０Ａは避難箱体１６に挿通された、吊下げロープ３０の折返し部分を示している。固定部材２８は、この実施例ではコ字状の金属体の両脚部を屋上床面に固定したものであるが、吊下げロープ３０の一端部を堅固に保持できるものであれば、任意の形状、構造のものでよい。
【００２３】
吊下げロープ３０は、避難箱体１６を空中に吊り下げて昇降できる機械的強度と、ばね弾性のように伸縮自在な伸縮性とを有している。吊下げロープ３０は、屋上１４から吊下げている避難箱体１６を手繰り寄せロープ３２で地上に向かって牽引しているときにその牽引力に対してバックテンションを付与しながら伸長して避難箱体１６を下降させるものである。
【００２４】
吊下げロープ３０が伸縮性を有していることにより、地上で手繰り寄せロープ３２の牽引力を加減操作しながら避難箱体１６を徐々に屋上１４から地上に向かって下降させることができる。
【００２５】
図示を省略したが、避難箱体１６の底部に、避難箱体１６を移動させるための小さな車輪が４個と、これらの車輪を回転駆動させるモータとを設けてもよい。このようにすれば、屋上１４における避難箱体１６の移動を簡単にできる。モータは、非常時に避難箱体１６を前進させるだけに稼働するものである。
【００２６】
避難箱体１６には手繰り寄せロープ３２が連結されている。手繰り寄せロープ３２は、２本のロープと、これらのロープに沿って適当間隔で配設される多数のスペーサ３４とにより梯子状に形成され、ロープの一端部にカラビナ４０が取り付けられている。
【００２７】
カラビナ４０を、避難箱体１６の側面に設けられた連結具３８に係止することにより、手繰り寄せロープ３２を避難箱体１６に連結される。図３に避難箱体１６に手繰り寄せロープ３２を取り付けた状況を示している。手繰り寄せロープは、吊下げロープ３０の牽引力に抗して避難箱体１６を屋上１４から地上近傍まで牽引して手繰り寄せるものである。
【００２８】
符号２６は散水器を示している。散水器２６は、屋上１４に設置された散水栓ボックス２０に散水ホース２２、散水ノズル２４をそれぞれ連結したものである。散水器２６は、平常時は花壇１８に散水でき、火災等の非常時は避難箱体１６やその周辺にも散水して消火活動に利用するものである。
【００２９】
図４は花壇１８を示す斜視図である。
花壇１８は、避難箱体１６の上面とほぼ同じ大きさの上下面を有する浅い箱体から構成され、避難箱体１６の上面に、同上面を覆うように載置されるものである。花壇１８は、避難箱体１６と分離可能である。
花壇１８の土の上には目の粗い網１９が被せられ、土が飛び散らないようにされている。そこに、背の高くない草や花々を栽培する。
【００３０】
図５に避難装置１０の、非常時の状況を示している。図５に示されるように、火災等の非常事態が起こると、屋上１４の周囲に設けられている囲い４２の一部が除去される。この除去される囲いは、予め簡易に除去できるように他の囲いとは別構造とされ、開閉自在に設置されていることが好ましい。
【００３１】
次に、避難箱体１６の底部の車輪を回転駆動するモータが回り、避難箱体１６を、屋上１４の囲い４２の除去された所まで前進させる。避難箱体１６は最上階の窓のあたりまで出て、一旦停止する。モータは、避難箱体１６を前進させるためだけのもので、数秒間稼働するだけである。なお、避難箱体１６は、モータを使わずに手動で所定の位置まで前進移動するようにしてもよい。
【００３２】
このとき、花壇１８は、屋上１４に設置された固定部材２８に固定されているので、避難箱体１６の移動後は避難箱体１６と分離し投げ出された形で屋上１４に留まる。
【００３３】
屋上の避難者は、散水ホース２２、散水ノズル２４を手に持って操作し、火を消す手助けをしながら、避難箱体１６内から素早く手繰り寄せロープ３２を取り出して地上に垂らし、避難箱体１６の蓋１６Ａを開けて中に入る。避難箱体１６の蓋１６Ａはやや縦長で、中央があいているので、簡単に開けられる。
【００３４】
地上にいる人は、救助者となって降りてきた手繰り寄せロープ３２の先を、地上に設置したＣの形の碇３６に係止する。それから、手繰り寄せロープ３２を手繰って、避難箱体１６を手繰り寄せて避難者を地上まで降ろす。なお、碇３６は、手繰り寄せロープ３２の下端を地上に係止するものであり、Ｃの形のものに限られず任意の構造のものでよい。
【００３５】
避難者は、避難箱体１６の中にいるため、高所恐怖感が解消される。また、別の救助者は、火災の火のついている当たりをみながら、別の避難箱体１６の手繰り寄せロープ３２を手繰って降ろす。
【実施例２】
【００３６】
本発明は、次の構成を含むものである。すなわち、高層建築物１２の屋上１４に設置されるものであって、屋上１４に固定された避難箱体１６と、避難箱体１６の上面に、同上面を覆うように載置される花壇１８と、屋上１４に設置された散水栓ボックス２０に散水ホース２２が連結されて花壇１８に散水できる散水器２６と、避難箱体１６から地上近傍まで下ろされる吊下げ梯子（図示せず）とを備えている。
【００３７】
上記吊下げ梯子としては周知のロープ式避難梯子、折り畳み式避難梯子等が用いられる。吊下げ梯子は平常時は避難箱体１６内に収納されている。吊下げ梯子は非常時は一端部が避難箱体１６または固定部材２８に連結された状態で他端部が避難箱体１６から外部に取り出され地上近傍まで下ろされて使用される。
【００３８】
吊下げ梯子は、平常時は避難箱体１６内に収納されているので、日照や風雨に晒されることから防止されて劣化したり、また紛失することがない。吊下げ梯子をベランダの前に垂らすと、誰でも、吊下げ梯子を伝わって下の階に下りることができる。
【符号の説明】
【００３９】
１０  避難装置
１２  高層建築物
１４  屋上
１６  避難箱体
１６Ａ  蓋
１６Ｂ  開口
１８  花壇
２０  散水栓ボックス
２２  散水ホース
２４  散水ノズル
２６  散水器
２８  固定部材
３０  吊下げロープ
３０Ａ  折返し部分
３２  手繰り寄せロープ
３４  スペーサ
３６  碇
３８  連結具
４０  カラビナ
４２  囲い
【図１】
0005318049.tif 000002
【図２】
0005318049.tif 000003
【図３】
0005318049.tif 000004
【図４】
0005318049.tif 000005
【図５】
0005318049.tif 000006